(57)【要約】【課題】一度アスペクト比を変換設定したテレビ番組については以後自動的に変換し、ユーザの使い勝手を向上させたテレビ受像機を提供する。【解決手段】制御部２は、ワイド化したテレビ番組を特定する番組特定情報をＥＰＧ３３から抽出し、その番組特定情報を記憶部１５に登録する。その後、チャンネル選択キーが押下されると、制御部２は、そのチャンネルで放送されているテレビ番組を特定する番組特定情報をＥＰＧ３３から抽出する。そして、制御部２は、ＥＰＧ３３から抽出した番組特定情報が、記憶部１５に登録されているかどうか判断する。番組特定情報が記憶部１５に記憶されていれば、制御部２は、変換処理を実行するよう変換部５Ａに指示する。この結果、表示部３２は、変換部５Ａで１６：９に変換されたテレビ番組の画像を、１６：９の画面で表示する。【選択図】  図４
2009065325.tif 000002
【特許請求の範囲】
【請求項１】
選択されているチャンネルで放送されるテレビ番組と、放送されるテレビ番組を特定する番組特定情報と、を含むディジタル放送波を受信する受信手段と、
前記受信手段で受信された前記テレビ番組の画像を、画面で表示する表示手段と、
前記表示手段で表示される前記画像のアスペクト比を、第１のアスペクト比から第２のアスペクト比へ変換する変換処理の指定を受付ける指定手段と、
前記指定手段において前記変換処理が指定されると、前記変換処理を実行する変換手段と、を備えるテレビ受像機において、
前記指定手段において前記変換処理が指定された時に前記表示手段で表示されている前記テレビ番組を特定する前記番組特定情報を記憶する記憶手段と、
チャンネルが選択されると、そのチャンネルで放送されている前記テレビ番組を特定する前記番組特定情報が、前記記憶手段に記憶されているかどうか判断する制御手段と、を備え、
前記制御手段は、前記番組特定情報が前記記憶手段に記憶されていると判断した時、前記変換処理を実行するよう前記変換手段に指示し、
前記表示手段は、前記変換手段で第２のアスペクト比に変換された前記テレビ番組の画像を、前記画面で表示するテレビ受像機。
【請求項２】
前記番組特定情報は、チャンネル番号と時間軸とで表される電子番組表情報に、チャンネル番号と時間軸とに対応付けられて記述されており、
前記記憶手段は、前記指定手段において前記変換処理が指定された時の時刻と、前記表示手段で表示されている前記テレビ番組のチャンネル番号と、に前記電子番組表情報中で対応する前記番組特定情報を記憶する請求項１に記載のテレビ受像機。
【請求項３】
前記番組特定情報は、チャンネル番号と時間軸とで表される電子番組表情報に、チャンネル番号と時間軸とに対応付けられて記述されており、
前記制御手段は、チャンネル選択時の時刻と、選択されているチャンネルのチャンネル番号と、に前記電子番組表情報中で対応する前記番組特定情報を参照することにより、前記判断を行う請求項１に記載のテレビ受像機。
【請求項４】
前記指定手段において前記変換処理が指定された時に前記表示手段で表示されている前記テレビ番組を特定する前記番組特定情報を記憶させるかどうかの選択を受付ける選択手段を備える請求項１から３のいずれかに記載のテレビ受像機。
【請求項５】
前記番組特定情報は、テレビ番組の名前、および該テレビ番組が放送されるチャンネル番号である請求項１から４のいずれかに記載のテレビ受像機。
【請求項６】
前記第１のアスペクト比は、４：３であり、
前記第２のアスペクト比は、１６：９である請求項１から５のいずれかに記載のテレビ受像機。
【発明の詳細な説明】
【技術分野】
【０００１】
本発明は、ディジタル放送波を受信し、その放送波に含まれるテレビ番組のコンテンツを画面に表示するテレビ受像機に関し、特に、そのコンテンツのアスペクト比を変換する変換処理機能を有するテレビ受像機に関するものである。
【背景技術】
【０００２】
従来より、アナログ放送が行われており、アスペクト比４：３の画面でテレビ番組のコンテンツを表示するテレビ受像機が一般に広く普及していた。そして、近年、ディジタル放送の開始により、アスペクト比１６：９の画面でテレビ番組のコンテンツを表示するテレビ受像機が普及し始めている。
【０００３】
そのディジタル放送において、放送されるテレビ番組の画像には、例えば、ノーマルサイズであるアスペクト比４：３の画像と、ワイドサイズであるアスペクト比１６：９の画像と、がある。また、放送局側が、アスペクト比４：３の画像にサイドパネルを付加することによって擬似的に１６：９の画像に変換し、放送することもある。そのため、放送されているテレビ番組の画像がアスペクト比４：３である場合（実質的に４：３の場合、即ち擬似的に１６：９に変換された画像の場合も含む）、ユーザは、アスペクト比４：３のテレビ番組をアスペクト比１６：９の画面で視聴することになる。
【０００４】
そこで、テレビ受像機は、この場合に画像のアスペクト比をユーザが手動操作で１６：９に変換できる構成になっている。具体的には、ユーザがアスペクト比の変換を手動操作で指示すると、テレビ受像機は、サイドパネルがある場合にはサイドパネルを外し、画像のアスペクト比４：３をアスペクト比１６：９に変換する（具体的には引き伸ばす）。これにより、ユーザは、アスペクト比１６：９の画像を、アスペクト比１６：９の画面で視聴できるようになる。
なお、特許文献１では、画像表示装置が提案されている。
【特許文献１】特開２００３−０３２５７０公報
【発明の開示】
【発明が解決しようとする課題】
【０００５】
しかしながら、上記従来のテレビ受像機では、手動操作で画像のアスペクト比の変換を設定しても、チャンネルや番組内容が変わると、画像のアスペクト比は元に戻ってしまう。そのため、ユーザは、チャンネルや番組内容が変わる毎に手動操作を行って自分の好みの画像アスペクト比になるように再設定しなければならなかった。例えば毎週火曜日の９時から１０時に放送される４：３のテレビ番組について、ユーザは毎週再設定しなければならなかった。また、同４：３のテレビ番組について、一度アスペクト比を１６：９に変換設定しても、コマーシャル等で一旦異なるチャンネルに切替えてしまえば、画像は４：３に戻ってしまい、ユーザは再設定する必要があった。
よって、従来のテレビ受像機は、チャンネルや番組内容が変わる毎に手動操作を行わなければならず、不便であった。従って、ユーザの使い勝手が悪かった。
【０００６】
本発明はこのような従来の課題を解決しようとするものであり、一度アスペクト比を変換設定したテレビ番組については以後自動的に変換し、ユーザの使い勝手を向上させたテレビ受像機を提供することを目的とする。
【課題を解決するための手段】
【０００７】
本発明のテレビ受像機は、前記課題を解決するために以下の構成を備えている。
【０００８】
（１）選択されているチャンネルで放送されるテレビ番組と、放送されるテレビ番組を特定する番組特定情報と、を含むディジタル放送波を受信する受信手段と、
前記受信手段で受信された前記テレビ番組の画像を、画面で表示する表示手段と、
前記表示手段で表示される前記画像のアスペクト比を、第１のアスペクト比から第２のアスペクト比へ変換する変換処理の指定を受付ける指定手段と、
前記指定手段において前記変換処理が指定されると、前記変換処理を実行する変換手段と、を備えるテレビ受像機において、
前記指定手段において前記変換処理が指定された時に前記表示手段で表示されている前記テレビ番組を特定する前記番組特定情報を記憶する記憶手段と、
チャンネルが選択されると、そのチャンネルで放送されている前記テレビ番組を特定する前記番組特定情報が、前記記憶手段に記憶されているかどうか判断する制御手段と、を備え、
前記制御手段は、前記番組特定情報が前記記憶手段に記憶されていると判断した時、前記変換処理を実行するよう前記変換手段に指示し、
前記表示手段は、前記変換手段で第２のアスペクト比に変換された前記テレビ番組の画像を、前記画面で表示する。
【０００９】
この構成において、番組特定情報は、例えばテレビ番組に一意に割り振られるＩＤ、テレビ番組の名前、および該テレビ番組が放送されるチャンネル番号である。また、第１のアスペクト比は、例えば４：３である。第２のアスペクト比は、例えば１６：９である。
ここで、自動的にワイド化するテレビ番組をユーザが登録する第１の場面と、ユーザがチャンネルを選択する第２の場面と、に分けて順番に説明する。ここで、第１の場面と第２の場面とは、同日の同一時間帯である場合もあるし、異なる週で同じ曜日の同一時間帯である場合もある。まず、第１の場面において、表示手段で表示されているテレビ番組の第１のアスペクト比の画像を変換する変換処理を、ユーザが指定手段において指定する。これにより、表示手段で表示されているテレビ番組の画像が第１のアスペクト比から第２のアスペクト比に変換されるとともに、記憶手段がそのテレビ番組を特定する番組特定情報を記憶する。次に、第２の場面において、ユーザがチャンネルを選択すると、制御手段が、そのチャンネルで放送されているテレビ番組の番組特定情報が記憶手段に記憶されているかどうか判断する。そして、係る番組特定情報が記憶されている場合、第２のアスペクト比に変換されたテレビ番組の画像が、表示手段で表示される。
これにより、一度アスペクト比を変換設定したテレビ番組については以後自動的に変換される。例えば、一度アスペクト比を変換設定したテレビ番組については、登録以後の毎週火曜日に、自動的に第２のアスペクト比に変換される。また、あるテレビ番組について一度アスペクト比を変換設定した後、コマーシャル等で一旦異なるチャンネルに切替えてしまっても、チャンネルを戻した段階で画像は自動的に第１のアスペクト比から第２のアスペクト比に戻る。
そのため、ユーザは、チャンネルや番組内容が変わる毎に手動操作を行って自分の好みの画像アスペクト比になるように再設定しなくとも済む。従って、ユーザの使い勝手を向上させることができる。
【００１０】
（２）前記番組特定情報は、チャンネル番号と時間軸とで表される電子番組表情報に、チャンネル番号と時間軸とに対応付けられて記述されており、
前記記憶手段は、前記指定手段において前記変換処理が指定された時の時刻と、前記表示手段で表示されている前記テレビ番組のチャンネル番号と、に前記電子番組表情報中で対応する前記番組特定情報を記憶する。
【００１１】
この構成では、電子番組表を利用した番組特定情報の記憶方法について詳述している。
【００１２】
（３）前記番組特定情報は、チャンネル番号と時間軸とで表される電子番組表情報に、チャンネル番号と時間軸とに対応付けられて記述されており、
前記制御手段は、チャンネル選択時の時刻と、選択されているチャンネルのチャンネル番号と、に前記電子番組表情報中で対応する前記番組特定情報を参照することにより、前記判断を行う。
【００１３】
この構成では、電子番組表を利用した判断方法について詳述している。
【００１４】
（４）前記指定手段において前記変換処理が指定された時に前記表示手段で表示されている前記テレビ番組を特定する前記番組特定情報を記憶させるかどうかの選択を受付ける選択手段を備える。
【００１５】
この構成において、ユーザは、第２のアスペクト比に変換したテレビ番組をテレビ受像機に登録するかどうか、自分の使用方法に応じて選択できる。従って、ユーザの使い勝手が一層向上する。
【００１６】
（５）前記番組特定情報は、テレビ番組の名前、および該テレビ番組が放送されるチャンネル番号である。
【００１７】
（６）前記第１のアスペクト比は、４：３であり、
前記第２のアスペクト比は、１６：９である。
【発明の効果】
【００１８】
この発明によれば、ユーザは、チャンネルや番組内容が変わる毎に手動操作を行って自分の好みの画像アスペクト比になるように再設定しなくとも済む。従って、ユーザの使い勝手を向上させることができる。
【発明を実施するための最良の形態】
【００１９】
以下、本発明の実施形態であるディジタルテレビジョンについて説明する。
【００２０】
図１は、本発明の実施形態であるディジタルテレビジョンの主要な構成を示すブロック図である。ディジタルテレビジョン（以下、TVと称する）１０１は、装置の各部の動作を制御する制御部２と、選択されたチャンネル（以下、CHと称する）のディジタル放送波を受信するチューナ３と、受信したディジタル放送波をディジタルデータに復調する復調部４と、復調したディジタルデータから画像データと音声データとを分離し、両データを伸長するデコーダ５と、所望のＯＳＤ（On  Screen  Display）と画像データに基づく画像とを合成する画像合成部６と、画像データと音声データとの信号をアナログの信号に変換するD／A変換部８と、ユーザの操作を受付ける操作部１１と、EPGデータを記憶するEPGデータメモリ１４と、制御プログラムを記憶する記憶部１５と、画像を表示する表示部３２と、音声を装置外部に発生するスピーカ３１と、を備える。
【００２１】
また、ディジタル放送において、放送されるテレビ番組の画像には、例えば、ノーマルサイズであるアスペクト比４：３の画像と、ワイドサイズであるアスペクト比１６：９の画像と、字幕付き画像と、上下に帯部がある画像と、がある。また、放送局側が、アスペクト比４：３の画像にサイドパネルを付加することによって擬似的に１６：９の画像に変換し、放送することもある。
【００２２】
なお、放送局は、番組の他に、各チャンネルで放送されているテレビ番組の属性（番組名、出演者等）を示す番組情報を送信している。番組情報は、ＰＳＩ／ＳＩである。ここで、ＰＳＩ／ＳＩは、各チャンネルで放送されているテレビ番組を特定する番組特定情報が記述されているＥＰＧ（電子番組表情報）を含む。
【００２３】
記憶部１５は、例えばEEPROMで構成される。記憶部１５は、装置本体各部の制御方法が記述された制御プログラムを予め記憶する。
【００２４】
制御部２は、例えばマイクロコンピュータで構成される。制御部２は、上記制御プログラムにより処理されるデータ等を展開するためのワークフィールドとしてのRAM（不図示）と、現在時刻を計時する計時部（不図示）と、を内蔵する。
【００２５】
操作部１１に対し、EPGの表示、電源のON／OFF、チャンネルの選択、音量の調整等の命令（コマンド）が入力されると、操作部１１は、該命令を制御部２に伝送する。ここで、操作部１１は、所望の番組のチャンネルを選択するチャンネル選択キーと、表示部３２で表示される画像のアスペクト比を４：３から１６：９に変換するワイド化の指定を受付ける指定キーと、ワイド化されたテレビ番組をＴＶ１０１に登録するかどうかの選択を受付ける登録選択キーと、を有している。指定キー及び登録選択キーの詳細については、後述する。
なお、ワイド化が、本発明の「変換処理」に相当する。
【００２６】
チューナ３は、アンテナ３０で受信しているディジタル放送波から、制御部２の指示に基づいて、選択されているチャンネルのディジタル放送波を受信し、出力する。
復調部４は、チューナ３から出力されたディジタル放送波をディジタルデータであるトランスポートストリームに復調し、出力する。
【００２７】
デコーダ５は、復調部４から出力されたトランスポートストリームから、画像データと音声データとＰＳＩ／ＳＩデータとを分離抽出する。ここで、分離抽出された画像データは、例えばMPEGでエンコードされている。そして、デコーダ５は、画像データをデコードする。ここで、デコーダ５は、制御部２の指示によって、デコード後の画像データに基づく画像のアスペクト比を４：３から１６：９に変換する変換処理を実行する変換部５Ａを内蔵する。この変換処理は、例えばアスペクト比４：３の画像を１６：９に引き伸ばす処理である。この変換部５Ａは、制御部２の指示が無い場合、デコード後の画像データを変換せずにスルーする。最後に、デコーダ５は、画像データを画像合成部６を介してD／A変換部８に出力する。また、デコーダ５は、音声データをデコードし、D／A変換部８に出力する。
なお、上記変換部５Ａは、上記変換処理において、サイドパネルがある場合にはサイドパネルを外す処理も行う。
【００２８】
画像合成部６は、不図示の画像メモリを内蔵する。画像合成部６は、制御部２の指示に基づいて、画像データに基づく画像と、画像メモリが記憶している文字又は図形と、を合成する。画像合成部６は、その合成された合成データをD／A変換部８に出力する。
【００２９】
D／A変換部８は、デコーダ５が出力した画像データの信号をアナログの再生画像信号に変換し、表示部３２に出力する。また、D／A変換部８は、デコーダ５が出力した音声データの信号をアナログの再生音声信号に変換し、スピーカ３１に出力する。
表示部３２は、例えばLCD（Liquid Crystal Display）である。表示部３２の画面のアスペクト比は、１６：９である。
ユーザは、１６：９の表示部３２およびスピーカ３１において、D／A変換部８から出力された画像信号に基づく画像と音声信号に基づく音声とを視聴する。
【００３０】
ここで、チューナ３及び復調部４が、本発明の「受信手段」に相当する。また、デコーダ５が、本発明の「変換手段」に相当する。また、表示部３２が、本発明の「表示手段」に相当する。また、制御部２が、本発明の「制御手段」に相当する。また、記憶部１５が、本発明「記憶手段」に相当する。
【００３１】
一方、デコーダ５は、上記で分離受信されたＰＳＩ／ＳＩデータを制御部２に出力する。
制御部２は、デコーダ５から出力されたＰＳＩ／ＳＩデータからEPGデータを抽出し、EPGデータメモリ１４に記録する。EPGデータメモリ１４は、例えばEEPROMで構成される。そして、制御部２は、EPGの表示が指示された時、EPGデータメモリ１４に記憶されているEPGデータを読出し、画像合成部６に出力する。
【００３２】
画像合成部６は、EPGデータを画像データに変換する。そして、画像合成部６は、その画像データを単独で、D／A変換部８に出力する。そして、画像合成部６は、その合成データをD／A変換部８に出力する。これにより、表示部３２において、例えば図２に示すようなEPG３３の画像が表示される。
【００３３】
図２は、EPG画面の表示例を示す図である。EPG３３は、チャンネル番号と時間軸とで表される表である。近年、放送が多チャンネル化することによって、番組の内容も多種多様化しているが、ユーザは、このEPG３３を利用することによって、選局を簡単に行うことができる。
【００３４】
図２に示すように、EPG３３には、各テレビ番組の番組特定情報がチャンネル番号と時間軸とに対応付けられて記述されている。各テレビ番組の番組特定情報は、放送されるテレビ番組を特定する情報である。番組特定情報は、放送されるテレビ番組毎に放送局から送信される情報である。番組特定情報は、テレビ番組の名前、および該テレビ番組が放送されるチャンネル番号である。
なお、実施の際は、テレビ番組に一意に割り振られるＩＤを、番組特定情報として用いても構わない。
【００３５】
ここで、自動的にワイド化するテレビ番組をユーザが登録する第１の場面と、ユーザがチャンネルを選択する第２の場面と、に分けて説明する。ここで、第１の場面と第２の場面とは、同日の同一時間帯である場合もあるし、異なる週で同じ曜日の同一時間帯である場合もある。まず、第１の場面について説明する。
【００３６】
図３は、本発明の実施形態であるディジタルテレビジョンの制御部が指定キーの押下時に行う動作を示すフローチャートである。また、図４は、表示部３２で表示される画像５０のワイド化前後の様子を示す図である。図４（Ａ）は、ワイド化前の画像５０の様子を示しており、図４（Ｂ）は、ワイド化後の画像５０の様子を示している。
【００３７】
図４（Ａ）に示す表示部３２の画面を視聴中、ユーザは、指定キーを押下してワイド化を指定する。ワイド化が指定されると、制御部２は、変換処理を実行するようデコーダ５の変換部５Ａに指示する（Ｓ１）。これにより、表示部３２で表示される画像５０は、アスペクト比４：３から１６：９に変換され、図４（Ｂ）に示す状態となる。これにより、ユーザは、アスペクト比１６：９の画像５０を、アスペクト比１６：９の画面３２で視聴できるようになる。
【００３８】
さらに、制御部２は、ワイド化したテレビ番組を特定する番組特定情報を記憶部１５に登録するかどうか判断する（Ｓ２）。Ｓ２について詳述する。まず最初に、制御部２は、ワイド化されたテレビ番組をＴＶ１０１に登録するかどうかの選択をユーザに要求する選択メッセージをＴＶ１０１でＯＳＤ表示する。ユーザは、この選択メッセージを見て、登録選択キーにより、該テレビ番組をＴＶ１０１に登録するかどうか選択する。そして、制御部２は、該選択結果によって判断する。
なお、この実施形態ではＳ２を設けているが、実施の際は、Ｓ２をスルーしても構わない。
【００３９】
ユーザが該テレビ番組の登録を選択しなければ、制御部２は、本処理を終了する。
【００４０】
一方、ユーザが該テレビ番組の登録を選択すれば、制御部２は、ワイド化したテレビ番組を特定する番組特定情報をＥＰＧ３３から抽出する（Ｓ３）。ここで、指定キーにおいて変換処理が指定された時に表示部３２で表示されているテレビ番組（即ちワイド化したテレビ番組）は、指定キーにおいて変換処理が指定された時の時刻と、現在選択されているチャンネルのチャンネル番号と、に基づいて特定される。詳述すると、例えば、指定キーにおいて変換処理が指定された時の時刻が「１９：０２」で、現在選択されているチャンネルのチャンネル番号「１０ＣＨ」である場合、制御部２は、ＥＰＧ３３中で「１９：０２」及び「１０ＣＨ」に対応するテレビ番組を探す（図２参照）。この結果、同テレビ番組が、番組ＡＥであると制御部２に特定される。そして、制御部２は、番組ＡＥの番組特定情報をＥＰＧ３３から抽出する。さらに、制御部２は、番組ＡＥの時間情報もＥＰＧ３３から抽出する。
【００４１】
そして、制御部２は、その番組特定情報を記憶部１５に登録し（Ｓ４）、本処理を終了する。
図５は、記憶部１５の記憶内容を示す図である。Ｓ４により、記憶部１５には、図５に示すような番組特定情報が記録される。さらに、制御部２は、ワイド化したテレビ番組の時間情報も番組特定情報と対応付けて記憶部１５に記録しておく。この時間情報は、後述の図６Ｓ１２の検索処理で利用される。例えば、ワイド化したテレビ番組がテレビ番組ＡＥである場合（図２、図４（Ｂ）参照）、制御部２は、番組特定情報である番組名「野鳥物語」とチャンネル番号「１０ＣＨ」とを対応付けて記憶部１５に記録する（図５参照）。さらに、制御部２は、時間情報「８／７（火）、１９：００〜２０：００」を番組名「野鳥物語」に対応付けて記憶部１５に記録する（図５参照）。この結果、記憶部１５は、指定キーにおいて変換処理が指定された時の時刻と、現在選択されているチャンネルのチャンネル番号と、にＥＰＧ３３中で対応する番組特定情報および時間情報を記憶することになる。
なお、「パンダの森」、及び「深海の世界」についても、「野鳥物語」と同様に登録される。
【００４２】
次に、ユーザがチャンネルを選択する第２の場面について説明する。
【００４３】
図６は、本発明の実施形態であるディジタルテレビジョンの制御部がチャンネル選択キーの押下時に行う動作を示すフローチャートである。この動作は、ユーザがチャンネル選択キーを押下してチャンネルを選択した時の動作である。
【００４４】
チャンネル選択キーが押下されると、制御部２は、選択されたチャンネルをチューナ３に通知し、チャンネルを切替える（Ｓ１１）。これにより、図４（Ａ）に示すような画像５０が表示部３２で表示される。
【００４５】
制御部２は、そのチャンネルで放送されているテレビ番組を特定する番組特定情報をＥＰＧ３３から抽出する（Ｓ１２）。現在のチャンネルで放送されているテレビ番組は、チャンネル選択時の時刻と、現在選択されているチャンネルのチャンネル番号と、に基づいて特定される。詳述すると、例えば、チャンネル選択時の時刻が「１９：１２」で、現在選択されているチャンネルのチャンネル番号「１０ＣＨ」である場合、制御部２は、ＥＰＧ３３中で「１９：１２」及び「１０ＣＨ」に対応するテレビ番組を探す（図２参照）。この結果、同テレビ番組が、番組ＡＥであると制御部２に特定される。そして、制御部２は、番組ＡＥの番組特定情報をＥＰＧ３３から抽出する。さらに、制御部２は、番組ＡＥの時間情報もＥＰＧ３３から抽出する。
【００４６】
制御部２は、ＥＰＧ３３から抽出した番組特定情報が、記憶部１５に登録されているかどうか判断する（Ｓ１３）。ここで、例えば、現在のチャンネルで放送されているテレビ番組がテレビ番組ＡＥである場合（図２参照）、Ｓ１２においてＥＰＧ３３から抽出される番組特定情報は、番組名「野鳥物語」およびチャンネル番号「１０ＣＨ」となる。この場合、番組特定情報が記憶部１５に記録されているので、Ｓ１３の判断は肯定となる。逆に、現在のチャンネルで放送されているテレビ番組がテレビ番組ＢＥである場合（図２参照）、Ｓ１２においてＥＰＧ３３から抽出される番組特定情報は、番組名「北極物語」およびチャンネル番号「３１ＣＨ」となる。この場合、番組特定情報が記憶部１５に記録されていないので、Ｓ１３の判断は否定となる。
なお、Ｓ１３において記憶部１５を検索する際、制御部２は、時間情報をキーにして、現在時刻を含む放送時間帯に対応付けられた番組特定情報を検索すると良い。例えば、現在時刻が「１９：１２」であれば、制御部２は、野鳥物語とパンダの森との２つの番組特定情報を検索するだけで済む。これにより、番組特定情報のみを用いて検索処理を実行した場合と比べて、その検索時間を短縮できる。
【００４７】
番組特定情報が記憶部１５に記憶されていないと判断すると、制御部２は、本処理を終了する。
【００４８】
一方、番組特定情報が記憶部１５に記憶されていると判断した時、制御部２は、変換処理を実行するよう変換部５Ａに指示する（Ｓ１４）。そして、制御部２は、本処理を終了する。この結果、表示部３２は、変換部５Ａで１６：９に変換されたテレビ番組の画像を、１６：９の画面で表示する（図４（Ｂ）参照）。これにより、一度アスペクト比を変換設定したテレビ番組については以後自動的に変換される。例えば、アスペクト比４：３のテレビ番組ＡＥについては、登録以後の毎週火曜日に、Ｓ１４において自動的に１６：９に変換される。また、同テレビ番組ＡＥについて、一度アスペクト比を１６：９に変換設定し、コマーシャル等で一旦異なるチャンネルに切替えてしまっても、チャンネルを戻した段階で画像は自動的に４：３から１６：９に戻る。
そのため、ユーザは、チャンネルや番組内容が変わる毎に手動操作を行って自分の好みの画像アスペクト比になるように再設定しなくとも済む。従って、ユーザの使い勝手を向上させることができる。
【００４９】
また、図３Ｓ２において番組特定情報を記憶部１５に登録するかどうか判断させているので、ユーザは、ワイド化したテレビ番組をＴＶ１０１に登録するかどうか、自分の使用方法に応じて選択できる。従って、ユーザの使い勝手が一層向上する。
【図面の簡単な説明】
【００５０】
【図１】本発明の実施形態であるディジタルテレビジョンの主要な構成を示すブロック図
【図２】EPG画面の表示例を示す図
【図３】本発明の実施形態であるディジタルテレビジョンの制御部が指定キーの押下時に行う動作を示すフローチャート
【図４】表示部３２で表示される画像のワイド化前後の様子を示す図
【図５】記憶部１５の記憶内容を示す図
【図６】本発明の実施形態であるディジタルテレビジョンの制御部がチャンネル選択キーの押下時に行う動作を示すフローチャート
【符号の説明】
【００５１】
２−制御部
３−チューナ
４−復調部
５−デコーダ
５Ａ−変換部
６−画像合成部
１１−操作部
１５−記憶部
３０−アンテナ
３１−スピーカ
３２−表示部
３３−ＥＰＧ
１０１−ＴＶ
【図１】
2009065325.tif 000003
【図２】
2009065325.tif 000004
【図３】
2009065325.tif 000005
【図４】
2009065325.tif 000006
【図５】
2009065325.tif 000007
【図６】
2009065325.tif 000008